(57)【特許請求の範囲】
【請求項１】
支持部材を備えた収納部から日射遮蔽部材が垂下する日射遮蔽装置、が設置された枠体に設けられるガイドレールであって、
前記枠体へ取り付けられる第１ガイドベースと、
前記日射遮蔽部材及び前記枠体の隙間を遮蔽する第１ガイドプレートと、
を有し、
前記ガイドベースは前記収納部の端部との干渉を防ぐための空間部を備えている
ことを特徴とするガイドレール。
【請求項２】
前記ガイドベースは、
前記空間部の空間面積を可変可能に構成されていることを特徴とする請求項１記載のガイドレール。
【請求項３】
前記枠体へ取り付けられる第２ガイドベースと、
前記第２ガイドベースに対し所定の回動軸周りに回動することで開閉可能に連結され、前記日射遮蔽部材及び前記枠体の隙間を遮蔽する第２ガイドプレートと、
を有し、
前記第１ガイドプレートと前記第２ガイドプレートは水平方向の幅寸法が略同一であることを特徴とする請求項１又は２記載のガイドレール。
【請求項４】
前記第１ガイドベースと前記第２ガイドベースは、それぞれの長手方向に対し相互に相対位置を変更可能に連結することを特徴とする請求項３記載のガイドレール。
【請求項５】
前記収納部の水平方向の幅寸法は、前記日射遮蔽部材の水平方向の幅寸法より長く設定されていることを特徴とする請求項１乃至４のいずれか１項に記載のガイドレール。
【発明の詳細な説明】
【技術分野】
【０００１】
本発明は、ガイドプレートが設けられる枠体に設けられるガイドレールに関する。
【背景技術】
【０００２】
従来、ガイドプレート材が設けられる枠体に設けられるガイドレールに関する技術が開示されている。例えば、特許文献１には、ガイドプレート材（スラット）の両端にガイドローラを設けるとともに、枠体（額縁）にガイドローラが摺動自在に嵌合するガイドレールとガイドプレート材の両端部をのみ込むガイドプレート（スラットのみ込み部）とを有する縦フレームを設置した、ブラインド構造が開示されている。
【先行技術文献】
【特許文献】
【０００３】
【特許文献１】実開平６−８６９４号公報
【発明の概要】
【発明が解決しようとする課題】
【０００４】
上記従来技術では、ガイドプレート材により日射や視線等の遮蔽を行うときに、ガイドプレート材と枠体との隙間を、ガイドプレートにより遮蔽することができるので、上記隙間からの日射や視線等を遮蔽することができる。
【０００５】
ところで、ガイドプレート材（日射遮蔽部材）はその機能上の都合から、枠体の内側とほぼ同じ幅寸法で設置される場合が多い。このようなガイドプレート材があらかじめ設置され使用されている状況の枠体に対し、上記従来技術の縦フレームを後からガイドプレート材と枠体の隙間に設置することは困難であった。
【０００６】
本発明の目的は、あらかじめ日射遮蔽部材が設置されている枠体に対しても設置が容易なガイドレールを提供することにある。
【課題を解決するための手段】
【０００７】
上記目的を達成するために、本願第１発明は、支持部材を備えた収納部から日射遮蔽部材が垂下する日射遮蔽装置、が設置された枠体に設けられるガイドレールであって、前記枠体へ取り付けられる第１ガイドベースと、前記日射遮蔽部材及び前記枠体の隙間を遮蔽する第１ガイドプレートと、を有し、前記ガイドベースは前記収納部の端部との干渉を防ぐための空間部を備えていることを特徴とする。
【発明の効果】
【０００８】
本発明によれば、あらかじめ日射遮蔽部材が設置されている枠体に対しても設置が容易となる。
【図面の簡単な説明】
【０００９】
【図１】本発明の一実施形態に係るガイドレールとロールスクリーンが設置された額縁の構成の概略を表す正面図である。
【図２】ガイドレールとロールスクリーンが設置された額縁の構成の概略を表す平面図である。
【図３】ガイドレールとロールスクリーンが設置された額縁の構成の概略を表す側面図である。
【図４】縦ガイド部の分解斜視図である。
【図５】非移動部の平面図である。
【図６】移動部のガイドベースの平面図である。
【図７】移動部のガイドプレートの平面図である。
【図８】縦ガイド部の斜視図であり、図８（ａ）はガイドプレートの閉状態に対応し、図８（ｂ）はガイドプレートの開状態に対応する。
【図９】額縁に設置されたロールスクリーン及びガイドレールの平面図、及びロールスクリーンの側断面図である。
【図１０】空間部の空間面積を可変可能とした変形例の斜視図である。
【図１１】各ガイドベース間で相対位置変更可能に連結した変形例の斜視図である。
【発明を実施するための形態】
【００１０】
ここで、本発明のガイドレールは、横型ブラインドや縦型ブラインド、ロールスクリーン、プリーツスクリーン、たくし上げカーテン等、様々なタイプの遮蔽装置に使用可能である。但し、以下では、本発明のガイドレールをロールスクリーンに使用した場合について説明する。
【００１１】
以下、本発明の一実施形態について図面を参照しつつ説明する。なお、図面中に注記された「前」「後」「左」「右」「上」「下」の方向は、本明細書中の説明において「前」「後」「左」「右」「上」「下」と記述される方向にそれぞれ対応する。但し、本実施形態に係るロールスクリーン及びガイドレールの各構成の位置関係は、「前」「後」「左」「右」「上」「下」の概念に限定されるものではない。
【００１２】
まず、図１〜図３を参照しつつ、本実施形態に係るロールスクリーン及びガイドレールの構成の概略について説明する。図１は全体を正面から見た外観図であり、図２はその上方から見た平面図であり、図３はその右方から見た側面図である。
【００１３】
図１〜図３に示すように、窓ガラス１０を備えたサッシ（図示せず）の室内側に設けられた四角枠状の額縁１１（枠体）の内側には、ロールスクリーン１とガイドレール２０とが設置されている。なお、図１においては、図示の便宜上、ロールスクリーン１の左側の一部を切り欠いて示している。また、図２においては額縁１１の上辺を構成する上縁部１１ａの図示を省略し、図３においては額縁１１の右辺を構成する右縁部１１ｃとチェーンコード４の図示を省略している。
【００１４】
＜ロールスクリーンの構成＞
ロールスクリーン１（日射遮蔽装置）は、額縁１１の上辺を構成する上縁部１１ａの内面に対しブラケット５１を介して取り付けられるヘッド部２（収納部）を有する。ヘッド部２の内部には巻取軸７（後述の図９参照）が回転可能に収納されており、その一方側（図示する例の右側）の端部にスプロケット３が軸設されている。スプロケット３に係合した環状のチェーンコード４がヘッド部２から露出して垂下しており、前後に並ぶいずれかのチェーンコード４を引き下ろすことでスプロケット３及び巻取軸７の前後回転を操作できる。また、適宜の遮光性を有した布地等からなるスクリーン５（日射遮蔽部材）の上端が巻取軸７に固定されており、そこから垂下したスクリーン５の下端には適宜の重量を有する棒状のウェイトバー６が固定されている。なお、スクリーン５は、巻取軸７の後方側（室外側）から垂下している。また、ヘッド部２の後方背面側には、その左右方向全体に渡って薄板形状の遮光板９が設けられている。
【００１５】
以上の構成により、チェーンコード４を操作することで、巻取軸７を回転させてスクリーン５の巻き取りと巻き戻しを行い、すなわちスクリーン５とウェイトバー６を上下動させて額縁１１の内側における遮光と開放を操作できる。なお、図３中においては、最も上方に引き上げられた状態のウェイトバー６′を点線で示している。
【００１６】
＜ガイドレールの構成＞
ガイドレール２０は、上記ロールスクリーン１のウェイトバー６の端部をガイド可能なレールである。本実施形態では、ガイドレール２０は、ウェイトバー６の左右方向端部をガイド可能な２つの縦ガイド部２１，２１により構成されている。一方の縦ガイド部２１は、額縁１１の左辺を構成する左縁部１１ｂに設置され、ウェイトバー６の左端部をガイド可能となっており、他方の縦ガイド部２１は、額縁１１の右辺を構成する右縁部１１ｃに設置され、ウェイトバー６の右端部をガイド可能となっている。
【００１７】
なお、左縁部１１ｂ及び右縁部１１ｃのいずれか一方のみに対し縦ガイド部２１を設置してもよい（この場合、左縁部１１ｂ及び右縁部１１ｃのいずれか一方に設置した縦ガイド部２１により、ガイドレールが構成される）。
【００１８】
以下においては、額縁１１の右縁部１１ｃに設置される縦ガイド部２１を例に取り、その詳細な構成について説明する。なお、左縁部１１ｂに設置される縦ガイド部２１は左右対称の構造となっている。図４は縦ガイド部２１の分解斜視図である。この図４に示すように、縦ガイド部２１は、主に非移動部２２、移動部２３、及び回動軸２６を有しており、概略的には上端から所定長さ分が非移動部２２により構成され、非移動部２２の下方（非移動部以外の部分）が移動部２３により構成されている。すなわち、非移動部２２は、対応する縁部（図示する例の縦ガイド部２１では右縁部１１ｃ）のうち上端から所定長さ分に配置され、移動部２３は対応する縁部のうち非移動部２２の下方に配置される。本実施形態では、上記所定長さ、つまり非移動部２２の長さは、スクリーン５を上限位置まで引き上げて巻き取った状態にあるヘッド部２とウェイトバー６を併せた高さ方向寸法（図３中のＨ１）より少し長くなっている。
【００１９】
図５は、非移動部２２を上方から見た平面図（もしくは上下方向に対する直交断面図）である。この図５において、非移動部２２は、それぞれ遮光性を備えた遮光材料（この例ではアルミニウム等の金属）からなるガイドベース３１（第１ガイドベース）とガイドプレート３２（第１ガイドプレート）とを一体に有している。ガイドベース３１は、対応する縁部（この例の左縁部１１ｂ）の内面で非移動部２２の上下方向全長に渡って取り付けられる略矩形状の部材であり、その設置安定性を考慮して左右方向の厚み寸法Ｔ（右縁部１１ｃの内側面からの設置高さ寸法）が例えば５ｍｍ程度に設定されている。ガイドプレート３２は、ガイドベース３１と同じ長さで、ヘッド部２の左右方向縁部とそれに対向する左縁部１１ｂまたは右縁部１１ｃとの隙間Ｓ１を遮蔽する略矩形薄板状の部材である。図示する本実施形態の例では、ガイドプレート３２が、ガイドベース３１に対してその後方側（ヘッド部２の室外側）の縁部に略直角な略Ｌ字状の配置で固定的（一体的）に設けられている（上記図２参照）。なお、特に図示しないが、ガイドベース３１の前方側（ヘッド部２の室内側）の縁部にも併せてガイドプレート３２を配置して全体を略「コ」の字型形状としてもよい。
【００２０】
そして本実施形態では、上記非移動部２２のガイドベース３１において、上方端部から所定の高さ寸法分の範囲を切り欠いた空間部３１ａを有している（図３、図８等参照）。この空間部３１ａは、ヘッド部２の左右方向端部との干渉を防ぐためのものであり、その高さ方向寸法はスクリーン５を上限位置まで引き上げて巻き取った状態にあるヘッド部２の高さ方向寸法（図３中のＨ２）より少し長く設定されている（図３参照）。
【００２１】
図６、図７は、移動部２３を構成するガイドベース３３とガイドプレート３４をそれぞれ上方から見た平面図（もしくは上下方向に対する直交断面図）である。この図６、図７において、移動部２３は、それぞれ遮光性を備えた遮光材料（この例ではアルミニウム等の金属）からなるガイドベース３３（第２ガイドベース）とガイドプレート３４（第２ガイドプレート）とを互いに回動可能に連結して構成される（後述の図８参照）。図６に示すガイドベース３３は、対応する縁部の内面で移動部２３の上下方向全長に渡って取り付けられる略矩形状の部材であって上記非移動部２２のガイドベース３１の部分とほぼ同じ形状にあり、その後方側の縁部には回動軸２６を貫通させるヒンジ片３３ａが設けられている。図７に示すガイドプレート３４は、ガイドベース３３と同じ長さで、スクリーン５（及びウェイトバー６）の左右方向縁部とそれに対向する左縁部１１ｂまたは右縁部１１ｃとの隙間Ｓ２を遮蔽する略矩形薄板状の部材であって上記非移動部２２のガイドプレート３１の部分とほぼ同じ形状にあり、その縁部には回動軸２６を貫通させるヒンジ片３４ａが設けられている。図示する本実施形態の例では、移動部２３のガイドプレート３４が、ガイドベース３３に対してその後方側（スクリーン５の室外側）の縁部でお互いにヒンジ片３３ａ，３４ａを上下方向に重ね合わせ、針金状の金属細線からなる回動軸２６を貫通させることで、ガイドプレート３４がその回動軸２６周りに回動可能に連結される。なお、特に図示しないが、ガイドベース３３の前方側（スクリーン５の室内側）の縁部にも併せて回動軸２６とガイドプレート３４を配置して全体を略「コ」の字型形状としてもよい。
【００２２】
以上のような非移動部２２と移動部２３を上下方向に接続することで、図８に示すような縦ガイド部２１が構成され、そのうちの移動部２２におけるガイドプレート３４のみが開閉可能となる。つまり非移動部２２においては、ガイドプレート３２がガイドベース３１に対して常に直立し、ヘッド部２の左右方向縁部とそれに対向する左縁部１１ｂまたは右縁部１１ｃとの隙間Ｓ１を常に遮蔽する。その一方で、移動部２３においては、使用者が手作業でガイドプレート３４を回動操作することにより、ガイドプレート３４がガイドベース３３に対して直立した閉状態（図８（ａ）参照）と、ガイドプレート３４がガイドベース３３と平行な開状態（図８（ｂ））に切り替えることができる。
【００２３】
図８（ａ）に示す移動部２３の閉状態では、ガイドプレート３４がスクリーン５の左右方向縁部とそれに対向する左縁部１１ｂまたは右縁部１１ｃとの隙間Ｓ１を遮蔽する。図８（ｂ）に示す移動部２３の開状態では、ガイドプレート３４が折り畳まれることでその水平方向の幅寸法分だけ額縁１１の内部が広く開放されて室内側に外光を多く取り入れることができる。なお、この移動部２３におけるガイドプレート３４の回動操作は、スクリーン５が巻き取られて上限位置まで引き上げられた状態でのみ行える。
【００２４】
＜ロールスクリーンとガイドレールの配置関係について＞
次に、ロールスクリーン１とガイドレール２０の配置関係について、図９を参照しつつ説明する。図９は、額縁１１に設置されたロールスクリーン１及びガイドレール２０を上方から見た平面図であり、中央部においてロールスクリーン１を右方から見た側断面で表している。
【００２５】
この図９において、ロールスクリーン１のヘッド部２は、その左右方向全体に渡って上縁部１１ａに設置される本体部２ａと、この本体部２ａの左右両端部からそれぞれ下方に延びる支持部２ｂ（支持部材）と、本体部２ａ左右方向全体に渡ってその後方側面から後方斜め下方側へ延びる遮光板９を有している。本体部２ａは、全体が中空の略直方体形状に形成されたフレームで構成されており、各支持部２ｂは、それぞれの下端部に巻取軸７の中心軸を回転可能に支持している。
【００２６】
ここで、一般的にロールスクリーン１や縦ガイド部２１は額縁１１の各部寸法に合わせたオーダーメイドで作成される場合が多く、ヘッド部２及びスクリーン５の幅寸法、または非移動部２２及び移動部２３のそれぞれの長さ寸法もロットごとに個別に設定される。そのうちヘッド部２の左右方向の幅寸法Ｌｈについては、設置容易性を考慮してその両端部に約５ｍｍ程度の余裕隙間Ｓ０を持たせるように設定される。つまり、図示する例では、額縁１１の内側左右方向幅Ｌｇ（左縁部１１ｂと右縁部１１ｃの間の離間距離に相当）に対して、ヘッド部２の左右方向幅寸法Ｌｈが約１０ｍｍ短く設定される。また、一般的にヘッド部２の左右方向の幅寸法Ｌｈ（水平方向の幅寸法）は、スクリーン５の左右方向の幅寸法Ｌｓ（水平方向の幅寸法）より長く設定される。
【００２７】
しかし、このような幅寸法Ｌｈのヘッド部２を先に額縁１１に設置してロールスクリーン１を使用していた状態に対し、さらにガイドレール２０を後付けで設置することは困難となる。つまり、上述したようにヘッド部２の両端部と、左縁部１１ｂ及び右縁部１１ｃとの間の余裕隙間Ｓ０が約５ｍｍであることに対し、そこに約５ｍｍの厚さ寸法Ｔを有する非移動部２２のガイドベース３１を配置することが困難となる。
【００２８】
これに対し、本実施形態のガイドレール２０では、上述したように非移動部２２のガイドベース３１において、その上方端部からヘッド部２の高さ方向寸法（図３中のＨ２）より少し長い範囲で切り欠いた空間部３１ａを有している。これにより、あらかじめ設置されているヘッド部２の左右方向端部と干渉させることなく、ガイドレール２０（非移動部２２）を容易に額縁１１の所定位置に設置することができる。
【００２９】
また以上のような配置関係としていることで、スクリーン５の左右方向縁部とそれに対向する左縁部１１ｂまたは右縁部１１ｃとの隙間Ｓ１，Ｓ２における漏光を低減して遮光性能を向上させる効果も同時に得ることができる。この点について以下に説明する。
【００３０】
まず、移動部２３におけるガイドベース３３とガイドプレート３４は、移動部２３を開状態とした際の重ね合わせの関係から、それぞれの水平方向の幅寸法が略同一に設定されている。また、非移動部２２と移動部２３のそれぞれのガイドプレート３２，３４は、移動部２３を閉状態とした際に上下方向に直列に並ぶことから美観を考慮して、各ガイドプレート３２，３４の水平方向の幅寸法Ｗ１が略同一に設定されているとともに、それぞれの前後方向位置も一致するよう配置されている。このように、非移動部２２と移動部２３のそれぞれのガイドプレート３２，３４の水平方向（左右方向）の幅寸法Ｗ１はガイドベース３３の幅寸法に合わせて固定的に設定されており、そして図９に示すように、各ガイドプレート３２，３４の先端部分はスクリーン５の側方縁部と同じ重複幅Ｗ２，Ｗ３で左右方向に重複する。なお、ヘッド部２の右方端部に上記スプロケット３とチェーンコード４を設けている関係上、スクリーン５の右方端部おける重複幅Ｗ３は、左方端部における重複幅Ｗ２より短くなっている。
【００３１】
ここで、図示するように非移動部２２のガイドプレート３２が最大径状態のロール８の後方側外周面と近接している場合には、スクリーン５を巻き戻しきって最小径状態にあるロール８の後方側外周面、つまりその際のスクリーン５の背面に対しても非移動部２２と移動部２３の各ガイドプレート３２，３４が比較的近接することになる。
【００３２】
ここで例えば、非移動部２２のガイドベース３１に空間部３１ａが形成されていないためにヘッド部２及びスクリーン５の左右方向長さ寸法Ｌｈ，Ｌｓが短く設定された場合には、それだけ各ガイドプレート３２，３４の先端部分とスクリーン５の側方縁部との重複幅Ｗ２，Ｗ３が短くなる。この場合、ガイドプレート３２，３４の縁部とスクリーン５の縁部の合間から入り込む外光の入射角度Ａ１，Ａ２が比較的大きくなるため、上記隙間Ｓ２において外光が前方側へ深く進入することになり、すなわち光の漏洩が大きくなる（以上、特に図示せず）。
【００３３】
これに対し、図９に示す本実施形態では、非移動部２２のガイドベース３１に空間部３１ａが形成されていることでそれだけヘッド部２及びスクリーン５の左右方向長さ寸法Ｌｈ，Ｌｓを長く設定することができ、それにより各ガイドプレート３２，３４の先端部分とスクリーン５の側方縁部との重複幅Ｗ２，Ｗ３を十分に大きく確保できる。本実施形態ではこのような配置関係としていることで、ガイドプレート３２，３４の縁部とスクリーン５の縁部の合間から入り込む外光の入射角度Ａ１，Ａ２が小さくなるため、上記隙間Ｓ１，Ｓ２における外光の前方側への進入を抑えることができ、すなわち光の漏洩を低減して遮光性能を向上できる。
【００３４】
＜本実施形態による効果＞
以上説明したように、本実施形態では、非移動部２２のガイドベース３１がヘッド部２の端部との干渉を防ぐための空間部３１ａを備えている。これにより、あらかじめ設置されているヘッド部２の左右方向端部と干渉させることなく、ガイドレール２０（非移動部２２）を容易に額縁１１の所定位置に設置することができる。
【００３５】
また、本実施形態では特に、非移動部２２のガイドプレート３２と移動部２３のガイドプレート３４は水平方向の幅寸法が略同一に設定されている。これにより、移動部２３を閉状態とした際に上下方向に直列に並んだ場合でも各ガイドプレート３２，３４の幅が揃って整列するため美観が向上する。また、このような場合でも、非移動部２２のガイドベース３１が空間部３１ａを備えていることにより、各ガイドプレート３２，３４の先端部分とスクリーン５の側方縁部との重複幅Ｗ２，Ｗ３を十分に大きく確保できるため、隙間Ｓ１，Ｓ２における外光の前方側への進入を抑えることができ、すなわち光の漏洩を低減して遮光性能を向上できる。
【００３６】
また、本実施形態では特に、ヘッド部２の水平方向（左右方向）の幅寸法Ｌｈは、スクリーン５の水平方向（左右方向）の幅寸法Ｌｓより長く設定されている。これにより、非移動部２２と移動部２３の各ガイドベース３１，３３においては、確実にスクリーン５との干渉を回避できる。
【００３７】
＜変形例等＞
なお、本発明は、上記実施形態に限られるものではなく、その趣旨及び技術的思想を逸脱しない範囲内で種々の変形が可能である。以下、そのような変形例を順を追って説明する。なお、以下で説明する各変形例において、上記実施形態と同等の部分には同一の符号を付し、その説明を適宜省略又は簡素化する。
【００３８】
（１）空間部の空間面積を可変可能とする場合
上記実施形態では、非移動部２２のガイドベース３１に切り欠きとして形成した空間部３１ａの空間面積が固定化されていたが、これに限定されるものではない。例えば、図９（ａ）に示すように、ガイドベース３１と長手方向直交断面で相似した形状のスライドベース３５をガイドベース３１と左右方向で重ね合わせ、
上下方向に移動可能に連結する。このような構成で、スライドベース３５の高さ位置を手作業で調整することで、空間部３１ａの空間面積を任意に変更することができる。
【００３９】
また他にも、図９（ｂ）に示すように、ガイドベース３１と長手方向直交断面が同じ形状のベースピース３６をガイドベース３１の上方に積層可能に連結する。このような構成で、任意の数のベースピース３６を積層することでも、空間部３１ａの空間面積を任意に変更することができる。
【００４０】
以上のように空間部３１ａの空間面積を可変可能とすることで、ヘッド部２の両端部に合わせてその空間面積を最適に調整することができ、それだけ非移動部２２のガイドベース３１の設置面積を大きく取れることから安定した設置が可能となる。
【００４１】
（２）各ガイドベース間で相対位置変更可能に連結する場合
上記実施形態では、非移動部２２と移動部２３の各ガイドベース３１，３３は単に上下方向に並べて設置していたが、これに限定されるものではない。例えば、図１０（ａ）に示すように、非移動部２２のガイドベース３１の下端部に設けた挿入突起部３９を介して各ガイドベース３１，３３どうしを上下方向に連結させてもよい。
【００４２】
非移動部２２のガイドベース３１の下端部に設けた２つの挿入突起部３９は、それぞれ移動部２３のガイドベース３３の内部に挿入可能な寸法形状で形成されている。これら２つの挿入突起部３９は、移動部２３のガイドベース３３に対しその上方側から挿入し、当該ガイドベース３３の内部で左縁部１１ｂまたは右縁部１１ｃと挟まれて固定される。以上のような構成により、上方の非移動部２２と下方の移動部２３がそれぞれの長手方向に相対位置を変更可能に連結する。
【００４３】
ここで、一般的に縦ガイド部２１は額縁１１の高さ寸法に合わせたオーダーメイドで作成される場合が多く、非移動部２２及び移動部２３のそれぞれの長さ寸法もロットごとに個別に設定される。このため、非移動部２２及び移動部２３のそれぞれの長さ寸法に製作誤差が生じる場合があるが、上述したように非移動部２２と移動部２３がそれぞれの長手方向に相対位置を変更可能に連結するため、そのような長さ寸法の製作誤差（特に設計値より短い場合の誤差Ｘ）を吸収して縦ガイド部２１全体の長さ寸法を調整できる。
【００４４】
なお、挿入突起部３９は、２つとも移動部２３のガイドベース３３の上端部に設けてもよいし、非移動部２２と移動部２３の各ガイドベース３１，３３のそれぞれに１つずつ異なる前後位置で設けて交差するように連結してもよい。
【００４５】
なお、以上既に述べた以外にも、上記実施形態や各変形例による手法を適宜組み合わせて利用してもよい。
【００４６】
その他、一々例示はしないが、本発明は、その趣旨を逸脱しない範囲内において、種々の変更が加えられて実施されるものである。
【符号の説明】
【００４７】
１                ロールスクリーン（日射遮蔽装置）
２                ヘッド部（収納部）
２ｂ              支持部（支持部材）
５                スクリーン（日射遮蔽部材）
６                ウェイトバー
７                巻取軸
８                ロール
９                遮光板
９ａ              切り欠き部
１１              額縁（枠体）
１１ｃ            右縁部
２０              ガイドレール
２１              縦ガイド部
２２              非移動部
２３              移動部
２６              回動軸
３１              非移動部のガイドベース（第１ガイドベース）
３１ａ            空間部
３２              非移動部のガイドプレート（第１ガイドプレート）
３３              移動部のガイドベース（第２ガイドベース）
３４              移動部のガイドプレート（第２ガイドプレート）
３５              スライドベース
３６              ベースピース
３９              挿入突起部
【図１】
0006427457.tif 000002
【図２】
0006427457.tif 000003
【図３】
0006427457.tif 000004
【図４】
0006427457.tif 000005
【図５】
0006427457.tif 000006
【図６】
0006427457.tif 000007
【図７】
0006427457.tif 000008
【図８】
0006427457.tif 000009
【図９】
0006427457.tif 000010
【図１０】
0006427457.tif 000011
【図１１】
0006427457.tif 000012